(57)【要約】      （修正有）【課題】平面方向の振動や衝撃に対しても位置ずれなどを防止することができる電子装置の取付装置を提供する。【解決手段】第１筐体３，第２筐体４ａ，４ｂは、ハードディスク装置２に設けられた被挟持部を挟持することで固定する。これら第１筐体３，第２筐体４ａ，４ｂと被挟持部との間には、弾性部材からなる緩衝部材５が介在される。緩衝部材５の第１筐体３と接触している面には、複数の凸部が等間隔に配列して設けられる。第１筐体３の挟持部７には、凸部よりも幅が小さく、凸部の配列方向に延びるリブ７ａが設けられる。第１筐体３，第２筐体４ａ，４ｂにより緩衝部材５を介して被挟持部を挟持することで、リブ７ａが凸部に当接され、これにより凸部とリブ７ａは互いに平面方向の動きが阻止されて、ハードディスク装置２の平面方向の位置ずれなどを防止する。【選択図】図２
2009272018.tif 000002
【特許請求の範囲】
【請求項１】
被取付体である電子装置に設けられた被挟持部を挟持する第１、第２筐体と、
前記第１、第２筐体と被挟持部との間に介在し、弾性部材からなる緩衝部材と、を備え、
前記緩衝部材の前記第１、第２筐体と接触している面の少なくともいずれか一方には、複数の凸部が配列して設けられ、
前記第１、第２筐体の、前記複数の凸部と接触している面には、前記凸部よりも幅が小さく、前記凸部の配列方向に延びるリブが設けられることを特徴とする電子装置の取付装置。
【請求項２】
前記緩衝部材の前記第１、第２筐体と接触している面のいずれか一方には、前記複数の凸部が配列して設けられ、
前記第１、第２筐体の、前記複数の凸部と接触している面には、前記リブが設けられ、
前記緩衝部材の前記複数の凸部が設けられた面とは反対側の面と、前記第１、第２筐体の前記リブが設けられていない筐体との間に、ばね部材が設けられていることを特徴とする請求項１記載の電子装置の取付装置。
【発明の詳細な説明】
【技術分野】
【０００１】
本発明は、被取付体である電子装置を所望の取り付け位置に取り付けるための固定構造を備える電子装置の取付装置に関する。
【背景技術】
【０００２】
従来から、記憶容量が大きく、高速度で読み書きが可能な記憶装置として、ハードディスク装置が各種コンピュータ装置に広く利用されている。ハードディスク装置の記憶容量は、技術の進歩によって年々増大し、価格も低下している。このため、コンピュータ装置の記憶装置としての利用ばかりではなく、従来、ＣＤ（Compact Disk）やＤＶＤ（
Digital Versatile Disk）などの光ディスク等の大容量記録媒体や、さらに磁気ディスクや磁気テープなどの記録媒体を利用している分野でも、ハードディスク装置の利用が可能になってきている。
【０００３】
たとえば車両に搭載されるカーナビゲーション装置では、地図データ、電話番号データなどの各種データおよび各種プログラムなどを記録する記録媒体としてＣＤ、ＤＶＤからハードディスク装置を利用する場合が増加している。
【０００４】
また、ハードディスク装置は、筐体の大きさや取付け方法などが標準化され、固定して設置する場合には、所定の大きさの筐体を、所定の方法で固定する必要がある。
【０００５】
ハードディスク装置では、記憶容量を高めるために、データの記録密度を極めて大きくし、データの読み書きを行うヘッドの位置決めには高精度を要する。このため、外部からの振動や衝撃に対しては弱く、振動環境下では正常な読み書きが行えなくなったり、ヘッドやディスク媒体自体を機械的な衝撃等で破損させてしまうおそれがある。
【０００６】
今日使用されているハードディスク装置では、使用しないときにヘッドとディスク媒体とを機械的に分離して保持し、移動や着脱の衝撃等には耐えるように構成されている。また、車載用など、過酷な振動環境下で使用する電子機器にハードディスク装置を搭載する場合には、使用中にハードディスク装置に大きな振動や衝撃が加わらないように、機械的な衝撃吸収構造が用いられている。
【０００７】
特許文献１記載の電子機器は、ＨＤＤの縁部にダンパを取り付け、このダンパを収容するシャーシを備え、シャーシの上板および下板はダンパの変形に応じて変形可能となっている。
【０００８】
特許文献２記載の記憶装置の緩衝装置は、ＨＤＤの両端を保持部によって保持し、この保持部の上下面にダンパー部が取り付けられる。ダンパー部は、バネ部とバネ部の凹部に配設された緩衝部材とからなる。
【０００９】
【特許文献１】特開２００４−１４０３１号公報
【特許文献２】特開２００４−３３４９５９号公報
【発明の開示】
【発明が解決しようとする課題】
【００１０】
上記のように、ハードディスク装置の固定方法は予め定められており、特許文献１，２に記載されているように、端面において平面方向に突出した縁部分を厚み方向に挟み込むように固定する。
【００１１】
特許文献１，２のように厚み方向の振動や衝撃に対する改良は多くなされているが、平面方向の振動や衝撃については、対処されていない。
【００１２】
本発明の目的は、平面方向の振動や衝撃に対しても位置ずれなどを防止することができる電子装置の取付装置を提供することである。
【課題を解決するための手段】
【００１３】
本発明（１）は、被取付体である電子装置に設けられた被挟持部を挟持する第１、第２筐体と、
前記第１、第２筐体と被挟持部との間に介在し、弾性部材からなる緩衝部材と、を備え、
前記緩衝部材の前記第１、第２筐体と接触している面の少なくともいずれか一方には、複数の凸部が配列して設けられ、
前記第１、第２筐体の、前記複数の凸部と接触している面には、前記凸部よりも幅が小さく、前記凸部の配列方向に延びるリブが設けられることを特徴とする電子装置の取付装置である。
【発明の効果】
【００１４】
本発明（１）によれば、第１、第２筐体は、被取付体である電子装置に設けられた被挟持部を挟持することで電子装置を固定する。前記第１、第２筐体と被挟持部との間には、弾性部材からなる緩衝部材が介在される。
【００１５】
緩衝部材の前記第１、第２筐体と接触している面の少なくともいずれか一方には、複数の凸部が配列して設けられ、前記第１、第２筐体の、前記複数の凸部と接触している面には、前記凸部よりも幅が小さく、前記凸部の配列方向に延びるリブが設けられる。
【００１６】
第１、第２筐体により弾性部材を介して被挟持部を挟持することで、リブが弾性部材の凸部に当接される。
【００１７】
リブの幅は、凸部の幅よりも小さく設けられているので、凸部全体ではなく、リブの当接部分において凸部が圧縮変形される。これにより、リブは、凸部に沈み込んだ状態となり、リブ側部を含めて凸部によって支持される。凸部とリブは互いに平面方向の動きが阻止されるので、電子装置に平面方向の振動、衝撃が加わったときに、その移動を抑制することができ、位置ずれなどを防止することができる。
【発明を実施するための最良の形態】
【００１８】
図１は、本発明の第１実施形態である取付装置１の構成を示す分解斜視図である。図２は、取り付け装置１を装着した状態のハードディスク装置２を示す断面図である。
本発明の取り付け装置１は、被取付体である電子装置を所望の取り付け位置に取り付けるための構造を備える。
【００１９】
本実施形態では、被取付体である電子装置としてハードディスク装置２を例として説明するが、これに限定されず、たとえば画像表示ディスプレイ、ＣＤドライブ、ＤＶＤドライブなどに適用可能である。
【００２０】
取付装置１は、第１筐体３、第２筐体４および緩衝部材５で構成される。ハードディスク装置２は、略矩形板状を有し、４つの端面のうち相対する２つの端面には、端面に直交する方向に、外方に突出する被挟持部２ａを備える。被挟持部２ａは、厚みがハードディスク装置本体よりも薄く、端面全体に長さ方向にわたって設けられる。
【００２１】
第１筐体３、第２筐体４および緩衝部材５は、この被挟持部２ａのみを挟持することでハードディスク装置２を固定し、所望の位置にハードディスク装置２を取り付けることができる。
【００２２】
ハードディスク装置２には、記録媒体として磁気ディスク、この磁気ディスクを支持および回転駆動させるスピンドルモータ、磁気ディスクに対してデータの書き込み、読み取りを行なう磁気ヘッドなどが収納される。
【００２３】
このようなハードディスク装置２を取り付けるにあたって、上記の被挟持部２ａ以外の部分を挟持したり、圧接して不要な力を加えると、収納されている磁気ディスクが正常に回転しない、磁気ヘッドが正常に動作しないなどの不具合が発生するので、被挟持部２ａのみを挟持したうえで厚み方向および平面方向の振動や衝撃に対して耐性を持たせる必要がある。
【００２４】
第１筐体３は、ハードディスク装置２と同じ大きさか、またはハードディスク装置２よりも大きく、ハードディスク装置２の下面を覆う板状部６と、板状部６の両端に設けられた、ハードディスク装置２の被挟持部２ａを第２筐体４と協働して挟持する挟持部７とで構成される。
【００２５】
第２筐体４は、一方筐体４ａと他方筐体４ｂからなり、一方筐体４ａおよび他方筐体４ｂは略同様の構造を有する。すなわち、ハードディスク装置２の被挟持部２ａを第１筐体３と協働して挟持する挟持部８と、この挟持部８に略直交し、ハードディスク装置２の被挟持部２ａを端面に沿って覆うように設けられる側壁部９とで構成される。
【００２６】
また、第１筐体３と第２筐体４とは、挟持部７，８と略平行に外方に延びる接合部をそれぞれ備え、この接合部において、たとえば、図示しないボルト、ナットなどの締め付け部材、締結部材により、ハードディスク装置２の被挟持部２ａの厚み方向に、被挟持部２ａを挟持するように接合して被挟持部２ａを、挟持部７，８により挟持する。
【００２７】
ここで、被挟持部２ａと挟持部７，８との間には、緩衝部材５が介在する。緩衝部材５は、少なくとも、挟持部７，８が被挟持部２ａを挟持するにあたって働く厚み方向の力による変位、緩衝部材５から見ると厚み方向に圧縮される変位に対する弾性力を有する弾性部材で構成される。
【００２８】
弾性部材としては、一般に使用される公知の部材を使用することができ、ゴム、エラストマー、軟質合成樹脂などが挙げられる。また、ばね定数などの弾性部材の特性については、ハードディスク装置２を固定するにあたって予め定められる固定強度、締付強度などを達成するに十分な特性を有していればよい。したがって、ハードディスク装置２の大きさや重量、第１筐体３と第２筐体４を構成する部材、被挟持部２ａと挟持部７，８の大きさなどに基づいて、適宜好適な特性を有する弾性材料を選択して使用すればよい。
【００２９】
緩衝部材５は、被挟持部２ａと挟持部７，８との間に介在すればよいので、少なくとも、挟持部７と被挟持部２ａとの間に介在する板状の弾性部材と、挟持部８と被挟持部２ａとの間に介在する板状の弾性部材の２枚の板状弾性部材で構成される。
【００３０】
本実施形態では、２枚の板状弾性部材の１つの長辺と２つの短辺とを互いに板状部材で結合したものを緩衝部材５として用いている。言い換えれば、本実施形態の緩衝部材５は、直方体の１つの面が開放された箱状に形成される。
【００３１】
２枚の板状弾性部材で構成される場合は、取り付け装置１をハードディスク装置２に装着する際に、２枚の板状弾性部材をそれぞれ被挟持部２ａと挟持部７，８との間に配置する必要があり、被挟持部２ａは両側に１つずつ、計２つあるので、板状弾性部材は４枚必要となり、装着工程が煩雑となる。
【００３２】
本実施形態のように、１面が開放された箱状であれば、その内部空間の大きさが被挟持部２ａの大きさと同じ大きさとなるように形成することで、緩衝部材５を、その開放された面側から被挟持部２ａに差し込むように装着することが可能で、装着工程が簡略化される。さらに、箱形状の底面にあたる部位は、被挟持部２ａを端面に沿って覆うように配置されるので、第２筐体４の側壁部９と被挟持部２ａとの間にも緩衝部材５が介在することになり、取り付け装置１が装着された状態でハードディスク装置２に平面方向の振動、衝撃が加わったときに第２筐体４の側壁部９と被挟持部２ａとの接触を防止することができる。
【００３３】
緩衝部材５の厚みＴは、用いる材質や、固定するにあたって予め定められる固定強度、締付強度などによって適宜決定すればよく、たとえば一例として、材質にエラストマを用いた場合、厚みＴは１．０〜１．５ｍｍ程度とする。
【００３４】
さらに、本発明は、ハードディスク装置２に対する平面方向の振動、衝撃に対応するために、緩衝部材５の第１筐体３、第２筐体４と接触する面の少なくとも１つの面に複数の凸部を設けるとともに、第１筐体３、第２筐体４の緩衝部材５と接触する面の少なくとも１つの面にも凸形状のリブを設ける。
【００３５】
図３は、緩衝部材５を開放面側から見た外観図であり、図４は、緩衝部材５の斜視図である。
【００３６】
本実施形態では、緩衝部材５の挟持部７と接触する面のみに複数の凸部１０が設けられているが、挟持部８と接触する面に複数の凸部を設けてもよい。
【００３７】
凸部１０は、緩衝部材５の挟持部７または挟持部８と接触する接触面５ａに直交する方向に突出し、板状、柱状、錘台状などに形成される。いずれの形状にしても、その底面は、たとえば正方形で接触面５ａと同じ幅Ｗを有し、幅Ｗと略同じ長さＬを有する。
【００３８】
凸部１０の接触面５ａからの高さＨは、用いる材質によって適宜決定すればよく、たとえば一例として、材質にエラストマを用いた場合、高さＨは０．５〜１．０ｍｍ程度とする。
【００３９】
また凸部１０は、接触面５ａ上に複数設けられ、接触面５ａの長さ方向に等間隔に配置される。
【００４０】
凸部１０と凸部１０との間は、接触面５ａを底面とする凹部１１となり、接触面５ａの長さ方向に凸部１０と凹部１１が交互に配置される。凸部１０と凸部１０との間隔Ｇは、凸部１０の長さＬと同じか、またはそれ以上とする。
【００４１】
このようにして接触面５ａ上に設けた複数の凸部１０に当接するように、挟持部７，８においては、凸形状のリブを設ける。
【００４２】
本実施形態では、緩衝部材５の挟持部７と接触する面のみに複数の凸部１０が設けられているので、この凸部１０に応じて挟持部７の緩衝部材５と接触する面にリブ７ａを設けているが、挟持部８と接触する面に複数の凸部を設けた場合は、この凸部に応じて挟持部８の緩衝部材５と接触する面にリブを設ける。
【００４３】
リブ７ａは、挟持部７の一部を折り曲げ、または塑性変形することで形成してもよく、挟持部７表面に、別途角棒部材を固着させてリブ７ａを形成してもよい。本実施形態では、挟持部７の一部を塑性変形させて形成している。
【００４４】
リブ７ａは、緩衝部材５の長さ方向に一直線状に延びて、緩衝部材５の長さと略同じ長さに設けられる。したがって、挟持部７，８が緩衝部材５を介在させて被挟持部２ａを挟持するときに、凹部１１においては、リブ７ａは接触面５ａに当接することなく、リブ７ａと凸部１０のみが当接する。
【００４５】
また、リブ７ａの幅は、凸部１０の幅よりも小さく、凸部１０の幅に対して小さな面積で接触するか、または、ほぼ線接触するような幅とすることが好ましい。リブ７ａ頂部の断面形状は、半円、角丸矩形状などとし、緩衝部材５を損傷させない形状とすることが好ましい。たとえば一例として、リブ７ａの幅は、凸部１０の幅の５０％程度であり、上記のように、リブの角部を曲面としている場合、リブ７ａが凸部１０に接触している部分の面積は、凸部１０の面積の５０％以下となっている。リブ７ａが凸部１０に所定の力で押し当てられたとき、凸部１０は、リブ７ａによって高さ方向に圧縮変形されるが、リブ７ａの幅を凸部１０の幅よりも小さくすることで、凸部１０全体ではなく、その当接部分において圧縮変形される。
【００４６】
これにより、リブ７ａは、凸部１０に沈み込んだ状態となり、リブ７ａの頂部から側部までが凸部１０によって支持される。リブ７ａの側部が凸部１０に支持されることで、凸部１０とリブ７ａは互いに平面方向の動きが阻止されるので、ハードディスク装置２に平面方向の振動、衝撃が加わったときに、ハードディスク装置２の平面方向への移動を抑制することができる。
【００４７】
リブ７ａが凸部１０に当接する幅方向当接位置は、幅方向中央からハードディスク装置２本体側である。リブ７ａが当接する位置に、被挟持部２ａの厚み方向に最も大きな力が加わるので、力の加わる位置をよりハードディスク装置２本体側とすることで、固定力をより効果的にハードディスク装置２に加えることができる。
【００４８】
従来技術のように、単にダンパを設けただけでは、平面方向への移動を抑制する要素がないので、平面方向の振動、衝撃に対しては、ハードディスク装置２の位置ずれなどが生じてしまうが、本発明では、リブ７ａが凸部１０を圧縮変形させることにより、リブａと凸部１０とが互いに横方向の移動を阻止し、結果的にハードディスク装置２の横方向への移動が抑制されることになる。
【００４９】
リブ７ａによって、凸部１０は圧縮変形されるが、この変形によって、凸部１０の一部にはみ出し部分が発生する。はみ出し部分は、凸部１０の材質や大きさによってはみ出す方向やはみ出し量が異なるが、高さ方向に圧縮を受けているために、面方向へはみ出す場合が多い。
【００５０】
緩衝部材５の接触面５ａに凸部１０が設けられておらず、リブ７ａが直接接触面５ａに当接したとすると、緩衝部材５は、凸部１０が設けられている場合と同じく圧縮変形を受け、その結果はみ出し部分は、長さ方向にはみ出すことができないので、幅方向にはみ出すことになる。幅方向へのはみ出しにより、緩衝部材５が、ハードディスク装置２を端面に対して平面方向に押しつける力が発生する。前述のように、ハードディスク装置２に対しては、被挟持部２ａに対して、その厚み方向の力のみが許容されており、緩衝部材５のはみ出しによる端面に対する押し付け力は、ハードディスク装置２の動作不良の原因となり好ましくない。
【００５１】
本発明では、上記のように、凸部１０を設けることで凸部１０と凸部１０との間に凹部１１を設けており、リブ７ａが凸部１０に当接したときに、凹部１１の部分には間隙が存在する。この凹部１１による間隙は、圧縮変形によるはみ出し部分が長さ方向にはみ出すことを許容する。
【００５２】
リブ７ａの当接による凸部１０のはみ出し部分の体積は、リブ７ａの大きさや、凸部１０の材質によって異なるが、これらが同じであれば全体としては、はみ出し部分の体積は同じとなる。したがって、本発明のような凹部１１によって幅方向に加えて長さ方向へのはみ出しも許容される構造では、凸部１０が設けられていない幅方向のみにはみ出しが許容される構造に比べて、幅方向へのはみ出し量を小さくすることができる。幅方向へのはみ出し量を小さくすることにより、ハードディスク装置２の端面に対して平面方向に押しつける力を小さくすることができる。
【００５３】
好ましくは、はみ出し部分が端面から離隔しているような状態であり、緩衝部材５による端面に対する押し付け力を０にする。
【００５４】
なお、凸部１０と、緩衝部材５の凸部１０以外の部分とで材質は同じであってもよいし、異なる材質であってもよい。同じ材質であれば、凸部１０を含めて緩衝部材５を一体的に成型することができる。異なる材質であれば、緩衝部材５の凸部１０以外の部分を予め形成し、接触面５ａに接着剤を塗布して、別途形成した凸部１０を接触面５ａ上に固着すればよい。
【００５５】
次に本発明の第２実施形態について説明する。
本実施形態は、第１実施形態と類似の構造を有し、筐体に設けられた挟持部のリブと緩衝部材の凸部とを厚み方向一方側に設け、厚み方向他方側では、挟持部と緩衝部材との間に、ばね部材などの副弾性部材を設けることのみが異なっているので、以下ではこの副弾性部材に関連する構成のみを説明し、第１実施形態と同じ構成の部位については第１実施形態と同じ参照符号を付して説明を省略する。
【００５６】
図５は、第２実施形態における挟持部分の拡大断面図である。
本実施形態では、リブ７ａと凸部１０とが設けられた側とは反対側で、挟持部８と緩衝部材５との間に、たとえばばね部材１２などの副弾性部材を設ける。この副弾性部材は、緩衝部材５と同様に、挟持部７，８が被挟持部２ａを挟持するにあたって働く厚み方向の力による変位に対する弾性力を有するものであればよい。
【００５７】
緩衝部材５のように弾性部材であって圧縮変形を受ける場合、長時間にわたって圧縮力を加え続けると、圧縮力を除去しても変形が復元せず、変形したままの状態となる。このような復元しない変形を圧縮永久歪という。
【００５８】
緩衝部材５の凸部１０に圧縮永久歪が発生すると、リブ７ａに対する反発力が小さくなり、被挟持部２ａに対する固定力が小さくなる。これによって、がたつきなどが生じてしまう。
【００５９】
本実施形態では、圧縮永久歪が発生した場合であっても、ばね部材１２が、挟持部８をばね受けとして緩衝部材５に対して挟持部７方向へのばね力を付勢する。この付勢力により、圧縮永久歪が発生した緩衝部材５の凸部１０は、リブ７ａに押しつけられ、第１、第２筐体３，４によりハードディスク装置２の固定力は保持される。
【００６０】
このように、緩衝部材５の弾性特性に経時的な変化が生じたとしても、副弾性体によってこの特性変化を補償することで、取り付け装置として一定の固定力を維持することが可能となる。
【００６１】
ばね部材１２としては、コイルばね、板ばねなどを用いることができ、さらには、緩衝部材５の材質とは異なる材質であって、緩衝部材５の材質よりも圧縮永久歪が小さく、または圧縮永久歪の発生時間が遅い材質であればゴム、エラストマーなどを用いることも可能である。
【００６２】
また、緩衝部材５の弾性特性の経時的変化を補償するという観点では、第２実施形態と同じであるが、副弾性体を設けることなく、リブ７ａが設けられた第１筐体３自体に弾性力を持たせ、この弾性力により挟持部７を緩衝部材５に付勢するように構成する実施形態も可能である。
【００６３】
このような形態であれば、副弾性体が機能的に筐体に一体化されているので、第２実施形態と同様の効果が発揮されるとともに、副弾性体を別途設ける必要がなく、組立工程が簡略化される。
【図面の簡単な説明】
【００６４】
【図１】本発明の第１実施形態である取り付け装置１の構成を示す分解斜視図である。
【図２】取り付け装置１を装着した状態のハードディスク装置２を示す断面図である。
【図３】緩衝部材５を開放面側から見た外観図である。
【図４】緩衝部材５の斜視図である。
【図５】第２実施形態における挟持部分の拡大断面図である。
【符号の説明】
【００６５】
１  取付装置
２  ハードディスク装置
２ａ  被挟持部
３  第１筐体
４  第２筐体
５  緩衝部材
７，８  挟持部
７ａ  リブ
１０  凸部
１１  凹部
１２  ばね部材
【図１】
2009272018.tif 000003
【図２】
2009272018.tif 000004
【図３】
2009272018.tif 000005
【図４】
2009272018.tif 000006
【図５】
2009272018.tif 000007